(57)【特許請求の範囲】
【請求項１】
プログラムされたコンピュータによってプロモーション状況データを監視する方法であって、
前記コンピュータにより、
特定時間範囲内のプロモーション・アカウントの少なくとも二つのプロモーション階級の前記プロモーション状況データをサンプリングし、
前記少なくとも二つのプロモーション階級のプロモーション状況データに基づいて、第一プロモーション階級のプロモーション状況データが第二プロモーション階級のプロモーション状況データと一致しているか否かを確定し、
前記第一プロモーション階級のプロモーション状況データと前記第二プロモーション階級のプロモーション状況データが一致していない場合には、前記プロモーション・アカウントの異常監視結果を獲得することと、
前記特定時間範囲内のプロモーション・アカウントの少なくとも二つのプロモーション階級のプロモーション状況データをサンプリングした後に、さらに、
前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確認し、
前記少なくとも二つのプロモーション階級においてプロモーション階級毎の特定のプロモーション次元でのプロモーション状況データが一致していない場合には、前記プロモーション・アカウントの疑わしい監視結果を獲得することとを含み、
前記プロモーション階級は、前記プロモーション・アカウントのプロモーション情報の階層を示し、
前記プロモーション状況データは、
前記プロモーション情報の表示量を示す表示指標、
前記プロモーション情報がクリックされた数量を示すクリック指標、
前記プロモーション情報のプロモーションコストを示す消費指標、
前記プロモーション情報をクリックして、プロモーションウェブサイトに入ったネチズンの比率を示す転化指標、並びに
ネチズンによる前記プロモーション情報のキーワード及び創造的なアイデアの受容度を示す品質度指標のうちの少なくとも１つを含み、
前記特定のプロモーション次元は、前記プロモーション情報にアクセスする端末の種類を示すプロモーションデバイス次元、および前記プロモーション情報にアクセスした地域を示すプロモーションデバイス地域次元の少なくとも一方を含む
プロモーション状況データの監視方法。
【請求項２】
前記プロモーション階級は、
アカウント階級、又は、
プロモーション計画階級、又は、
プロモーション手段階級、又は、
キーワード／オリジナリテイ階級を含む
請求項１に記載のプロモーション状況データの監視方法。
【請求項３】
前記コンピュータにより、
前記特定時間範囲内のプロモーション・アカウントの少なくとも二つのプロモーション階級のプロモーション状況データをサンプリングする前に、さらに
現在時刻、プロモーション状況データ遅延時間及び監視頻度に基づいて、特定時間範囲を獲得することを含む
請求項１に記載のプロモーション状況データの監視方法。
【請求項４】
前記コンピュータにより、
前記第一プロモーション階級は、前記第二プロモーション階級より高く、前記少なくとも二つのプロモーション階級のプロモーション状況データに基づいて、第一プロモーション階級のプロモーション状況データと第二プロモーション階級のプロモーション状況データが一致しているか否かを確認するには、
前記第一プロモーション階級のプロモーション状況データの合計が前記第二プロモーション階級の同じ種類のプロモーション状況データの合計と等しい場合には、前記第一プロモーション階級のプロモーション状況データが前記第二プロモーション階級のプロモーション状況データと一致していると確認し、
前記第一プロモーション階級のプロモーション状況データの合計が前記第二プロモーション階級の同じ種類のプロモーション状況データの合計より小さい場合には、前記第一プロモーション階級のプロモーション状況データが前記第二プロモーション階級のプロモーション状況データと一致していないと確認し、
前記第一プロモーション階級のプロモーション状況データの合計が前記第二プロモーション階級の同じ種類のプロモーション状況データの合計より大きい場合には、前記第二プロモーション階級のプロモーション状況データが網羅的であるか否かによって、前記第一プロモーション階級のプロモーション状況データが前記第二プロモーション階級のプロモーション状況データと一致しているか否かを確認することを含み、
前記第二プロモーション階級の一の種類のプロモーション状況データの合計が、全てのプロモーション状況データの合計と異なるか一致するかに応じて、前記第二プロモーション階級のプロモーション状況データが網羅的であるか否かを判断する
請求項１に記載のプロモーション状況データの監視方法。
【請求項５】
前記コンピュータにより、
前記第二プロモーション階級のプロモーション状況データが網羅的であるか否かによって、前記第一プロモーション階級のプロモーション状況データが前記第二プロモーション階級のプロモーション状況データと一致しているか否かを確認するには、
前記第二プロモーション階級のプロモーション状況データが網羅的でない場合には、前記第一プロモーション階級のプロモーション状況データが前記第二プロモーション階級のプロモーション状況データと一致していると確認し、
前記第二プロモーション階級のプロモーション状況データが網羅的である場合には、前記第一プロモーション階級のプロモーション状況データが前記第二プロモーション階級のプロモーション状況データと一致していないと確認することを含む
請求項４に記載のプロモーション状況データの監視方法。
【請求項６】
前記コンピュータにより、
前記第一プロモーション階級は、前記第二プロモーション階級より高く、前記少なくとも二つのプロモーション階級のプロモーション状況データに基づいて、第一プロモーション階級のプロモーション状況データと第二プロモーション階級のプロモーション状況データが一致しているか否かを確認するには、
前記第一プロモーション階級における第一プロモーションノードのプロモーション状況データが前記第二プロモーション階級で前記第一プロモーションノードに対応する少なくとも一つの第二プロモーションノードのプロモーション状況データの合計と等しい場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さい場合には、前記第一プロモーションノードのプロモーション状況データが網羅的であるか否かによって、前記第一プロモーション階級のプロモーション状況データが前記第二プロモーション階級のプロモーション状況データと一致しているか否かを確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きい場合には、前記第二プロモーションノードのプロモーション状況データが網羅的であるか否かによって、前記第一プロモーション階級のプロモーション状況データが前記第二プロモーション階級のプロモーション状況データと一致しているか否かを確認することを含み、
前記第二プロモーション階級の前記第一プロモーションノードのプロモーション状況データの合計が、前記第二プロモーション階級の全てのプロモーション状況データの合計と異なるか否かに応じて、前記第二プロモーション階級のプロモーション状況データが網羅的か否かを判断する
請求項１に記載のプロモーション状況データの監視方法。
【請求項７】
前記コンピュータにより、
前記第一プロモーションノードのプロモーション状況データが網羅的であるか否かによって、前記第一プロモーション階級のプロモーション状況データが前記第二プロモーション階級のプロモーション状況データと一致しているか否かを確認するには、
前記第一プロモーションノードのプロモーション状況データが網羅的でない場合には、前記第一プロモーション階級のプロモーション状況データが前記第二プロモーション階級のプロモーション状況データと一致していると確認し、
前記第一プロモーションノードのプロモーション状況データが網羅的である場合には、前記第一プロモーション階級のプロモーション状況データが前記第二プロモーション階級のプロモーション状況データと一致していないと確認することを含み、
又は、
前記第二プロモーションノードのプロモーション状況データが網羅的であるか否かによって、前記第一プロモーション階級のプロモーション状況データが前記第二プロモーション階級のプロモーション状況データと一致しているか否かを確認するには、
前記第二プロモーションノードのプロモーション状況データが網羅的でない場合には、前記第一プロモーション階級のプロモーション状況データが前記第二プロモーション階級のプロモーション状況データと一致していると確認し、
前記第二プロモーションノードのプロモーション状況データが網羅的である場合には、前記第一プロモーション階級のプロモーション状況データが前記第二プロモーション階級のプロモーション状況データと一致していないと確認することを含む
請求項６に記載のプロモーション状況データの監視方法。
【請求項８】
前記コンピュータにより、
前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確認するには、
プロモーション階級におけるプロモーションのノードの前記特定のプロモーション次元でのプロモーション状況データの合計が前記プロモーション階級におけるプロモーションノードのプロモーション状況データと等しい場合には、前記プロモーション階級の前記特定のプロモーション次元でのプロモーション状況データが一致していると確認し、
プロモーション階級におけるプロモーションのノードの前記特定のプロモーション次元でのプロモーション状況データの合計が前記プロモーション階級におけるプロモーションノードのプロモーション状況データと等しくない場合には、前記プロモーション階級の前記特定のプロモーション次元でのプロモーション状況データが一致していないと確認することを含む
請求項１から７のいずれか一項に記載のプロモーション状況データの監視方法。
【請求項９】
特定時間範囲内のプロモーション・アカウントの少なくとも二つのプロモーション階級のプロモーション状況データをサンプリングするサンプリング手段と、
前記少なくとも二つのプロモーション階級のプロモーション状況データに基づいて、第一プロモーション階級のプロモーション状況データが第二プロモーション階級のプロモーション状況データと一致しているか否かを確認する確定手段と、
前記第一プロモーション階級のプロモーション状況データと前記第二プロモーション階級のプロモーション状況データが一致していない場合には、前記プロモーション・アカウントの異常監視結果を獲得する獲得手段とを含み、
前記確定手段は、さらに、
前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確定ことに用いられ、
前記獲得手段は、さらに、
前記少なくとも二つのプロモーション階級においてプロモーション階級毎の特定のプロモーション次元でのプロモーション状況データが一致していない場合には、前記プロモーション・アカウントの疑わしい監視結果を獲得することに用いられ、
前記プロモーション階級は、前記プロモーション・アカウントのプロモーション情報の階層を示し、
前記プロモーション状況データは、
前記プロモーション情報の表示量を示す表示指標、
前記プロモーション情報がクリックされた数量を示すクリック指標、
前記プロモーション情報のプロモーションコストを示す消費指標、
前記プロモーション情報をクリックして、プロモーションウェブサイトに入ったネチズンの比率を示す転化指標、並びに
ネチズンによる前記プロモーション情報のキーワード及び創造的なアイデアの受容度を示す品質度指標のうちの少なくとも１つを含み、
前記特定のプロモーション次元は、前記プロモーション情報にアクセスする端末の種類を示すプロモーションデバイス次元、および前記プロモーション情報にアクセスした地域を示すプロモーションデバイス地域次元の少なくとも一方を含む
プロモーション状況データの監視装置。
【請求項１０】
前記プロモーション階級は、
アカウント階級、又は、
プロモーション計画階級、又は、
プロモーション手段階級、又は、
キーワード／オリジナリテイ階級を含む
請求項９に記載のプロモーション状況データの監視装置。
【請求項１１】
前記サンプリング手段は、さらに、
現在時刻、プロモーション状況データ遅延時間及び監視頻度に基づいて、前記現在時刻周りの特定時間範囲を獲得することに用いられる請求項９に記載のプロモーション状況データの監視装置。
【請求項１２】
前記第一プロモーション階級は、前記第二プロモーション階級より高く、前記確定手段は、具体的には、
前記第一プロモーション階級のプロモーション状況データの合計が前記第二プロモーション階級の同じ種類のプロモーション状況データの合計と等しい場合には、前記第一プロモーション階級のプロモーション状況データが前記第二プロモーション階級のプロモーション状況データと一致していると確認し、
前記第一プロモーション階級のプロモーション状況データの合計が前記第二プロモーション階級の同じ種類のプロモーション状況データの合計より小さい場合には、前記第一プロモーション階級のプロモーション状況データが前記第二プロモーション階級のプロモーション状況データと一致していないと確認し、
前記第一プロモーション階級のプロモーション状況データの合計が前記第二プロモーション階級の同じ種類のプロモーション状況データの合計より大きい場合には、前記第二プロモーション階級のプロモーション状況データが網羅的であるか否かによって、前記第一プロモーション階級のプロモーション状況データが前記第二プロモーション階級のプロモーション状況データと一致しているか否かを確認することに用いられ、
前記第二プロモーション階級の一の種類のプロモーション状況データの合計が、全てのプロモーション状況データの合計と異なるか一致するかに応じて、前記第二プロモーション階級のプロモーション状況データが網羅的であるか否かを判断する
請求項９に記載のプロモーション状況データの監視装置。
【請求項１３】
前記確定手段は、具体的には、
前記第二プロモーション階級のプロモーション状況データが網羅的でない場合には、前記第一プロモーション階級のプロモーション状況データが前記第二プロモーション階級のプロモーション状況データと一致していると確認し、
前記第二プロモーション階級のプロモーション状況データが網羅的である場合には、前記第一プロモーション階級のプロモーション状況データが前記第二プロモーション階級のプロモーション状況データと一致していないと確認することに用いられる請求項１２に記載のプロモーション状況データの監視装置。
【請求項１４】
前記第一プロモーション階級は、前記第二プロモーション階級より高く、前記確定手段は、具体的には、
前記第一プロモーション階級における第一プロモーションノードのプロモーション状況データが前記第二プロモーション階級で前記第一プロモーションノードに対応する少なくとも一つの第二プロモーションノードのプロモーション状況データの合計と等しい場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さい場合には、前記第一プロモーションノードのプロモーション状況データが網羅的であるか否かによって、前記第一プロモーション階級のプロモーション状況データが前記第二プロモーション階級のプロモーション状況データと一致しているか否かを確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きい場合には、前記第二プロモーションノードのプロモーション状況データが網羅的であるか否かによって、前記第一プロモーション階級のプロモーション状況データが前記第二プロモーション階級のプロモーション状況データと一致しているか否かを確認することに用いられ、
前記第二プロモーション階級の前記第一プロモーションノードのプロモーション状況データの合計が、前記第二プロモーション階級の全てのプロモーション状況データの合計と異なるか否かに応じて、前記第二プロモーション階級のプロモーション状況データが網羅的か否かを判断する
請求項９に記載のプロモーション状況データの監視装置。
【請求項１５】
前記確定手段は、具体的には、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さく、且つ前記第一プロモーションノードのプロモーション状況データが網羅的でない場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さく、且つ前記第一プロモーションノードのプロモーション状況データが網羅的である場合には、前記第一プロモーション階級のプロモーション状況データが前記第二プロモーション階級のプロモーション状況データと一致していないと確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きく、且つ前記第二プロモーションノードのプロモーション状況データが網羅的でない場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きく、且つ前記第二プロモーションノードのプロモーション状況データが網羅的である場合には、前記第一プロモーション階級のプロモーション状況データが前記第二プロモーション階級のプロモーション状況データと一致していないと確認することに用いられる請求項１４に記載のプロモーション状況データの監視装置。
【請求項１６】
前記確定手段は、具体的には、
プロモーション階級におけるプロモーションのノードの前記特定のプロモーション次元でのプロモーション状況データの合計が前記プロモーション階級におけるプロモーションノードのプロモーション状況データと等しい場合には、前記プロモーション階級の前記特定のプロモーション次元でのプロモーション状況データが一致していると確認し、
プロモーション階級におけるプロモーションのノードの前記特定のプロモーション次元でのプロモーション状況データの合計が前記プロモーション階級におけるプロモーションノードのプロモーション状況データと等しくない場合には、前記プロモーション階級の前記特定のプロモーション次元でのプロモーション状況データが一致していないと確認することに用いられる請求項９から１５のいずれか一項に記載のプロモーション状況データの監視装置。
【請求項１７】
デバイスであって、
一つ以上のプロセッサーと、
メモリと、
一つ以上のプログラムと、を含み、前記一つ以上のプログラムは前記メモリに記憶されて、前記一つ以上のプロセッサーによって実行される時に、
特定時間範囲内のプロモーション・アカウントの少なくとも二つのプロモーション階級のプロモーション状況データをサンプリングし、
前記少なくとも二つのプロモーション階級のプロモーション状況データに基づいて、第一プロモーション階級のプロモーション状況データが第二プロモーション階級のプロモーション状況データと一致しているか否かを確認し、
前記第一プロモーション階級のプロモーション状況データと前記第二プロモーション階級のプロモーション状況データが一致していない場合には、前記プロモーション・アカウントの異常監視結果を獲得し、
前記特定時間範囲内のプロモーション・アカウントの少なくとも二つのプロモーション階級のプロモーション状況データをサンプリングした後に、さらに、
前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確認し、
前記少なくとも二つのプロモーション階級においてプロモーション階級毎の特定のプロモーション次元でのプロモーション状況データが一致していない場合には、前記プロモーション・アカウントの疑わしい監視結果を獲得し、
前記プロモーション階級は、前記プロモーション・アカウントのプロモーション情報の階層を示し、
前記プロモーション状況データは、
前記プロモーション情報の表示量を示す表示指標、
前記プロモーション情報がクリックされた数量を示すクリック指標、
前記プロモーション情報のプロモーションコストを示す消費指標、
前記プロモーション情報をクリックして、プロモーションウェブサイトに入ったネチズンの比率を示す転化指標、並びに
ネチズンによる前記プロモーション情報のキーワード及び創造的なアイデアの受容度を示す品質度指標のうちの少なくとも１つを含み、
前記特定のプロモーション次元は、前記プロモーション情報にアクセスする端末の種類を示すプロモーションデバイス次元、および前記プロモーション情報にアクセスした地域を示すプロモーションデバイス地域次元の少なくとも一方を含む
デバイス。
【請求項１８】
非発揮性コンピュータ記憶媒体に記憶された一つ以上のプログラムであって、前記一つ以上のプログラムが一つのデバイスに実行される時に、前記デバイスに、請求項１から８のいずれか一項に記載のプロモーション状況データの監視方法を実行させるプログラム。
【発明の詳細な説明】
【技術分野】
【０００１】
本出願は、出願日が２０１５年０１月３０日で、出願番号が２０１５１００５１４１４．１で、発明名称が「プロモーション状況データの監視方法及び装置」である中国特許出願の優先権を要求する。本発明は、情報のプロモーション（普及促進）のための技術に関し、特に、プロモーション状況データの監視方法、装置、デバイス及び非発揮性コンピューター記憶媒体に関する。
【背景技術】
【０００２】
通信技術の発展に連れて、端末にはますますより多い機能を集積し、端末のシステム機能リストにもますますより多い対応するアプリ（Ａｐｐｌｉｃａｔｉｏｎ、ＡＰＰ）を含むことになっている。あるアプリは、幾つかの情報の普及促進を図るためのプロモーション・サービス、例えば、広告プロモーション、ゲームプロモーション又はアプリプロモーション等に関する。検索プロモーションを例とすると、検索プロモーションのプロモーション・アカウントの構成は、アカウント階級、プロモーション計画階級、プロモーション手段階級とキーワード／オリジナリテイ階級の４つの階級で構成され、プロモーション手段階級は、マルチ対マルチのキーワードリストとオジナリテイリストによって構成してもよい。一般的に、異なる階級のプロモーション状況データ、例えば、クリック指標等を照会してプロモーション効果を評価してもよい。一般的に、業務流れの監視方法によって、あるプロモーション階級の各プロモーション状況データの正確性を監視することができる。
【０００３】
しかし、プロモーション状況データは、出処が多く、処理ステップが多い等の特点があるので、プロモーション状況データ毎の正確性のみを監視しては、プロモーション効果の評価の信頼性を保証することができない。
【発明の概要】
【発明が解決しようとする課題】
【０００４】
本発明の複数の実施形態は、プロモーション効果の評価の信頼性を向上させるプロモーション状況データの監視方法、装置、デバイス及び非発揮性コンピューター記憶媒体を提供する。
【課題を解決するための手段】
【０００５】
本発明の一実施形態は、特定時間範囲内のプロモーション・アカウントの少なくとも二つのプロモーション階級のプロモーション状況データをサンプリングし、
前記少なくとも二つのプロモーション階級のプロモーション状況データに基づいて、第一プロモーション階級のプロモーション状況データが第二プロモーション階級のプロモーション状況データと一致しているか否かを確認し、
前記第一プロモーション階級のプロモーション状況データと前記第二プロモーション階級のプロモーション状況データが一致していない場合には、前記プロモーション・アカウントの異常監視結果を獲得することを含むプロモーション状況データの監視方法を提供する。
【０００６】
前記実施形態のいずれか一つ以上を実現可能な実現方式によると、さらに一実現方式が提供されるが、前記プロモーション階級は、
アカウント階級、又は、
プロモーション計画階級、又は、
プロモーション手段階級、又は、
キーワード／オリジナリテイ階級を含む。
【０００７】
前記実施形態のいずれか一つ以上を実現可能な実現方式によると、さらに一実現方式が提供されるが、前記プロモーション状況データは、
表示指標、又は、
クリック指標、又は、
消費指標、又は、
転化指標、又は、
品質度指標を含む。
【０００８】
前記実施形態のいずれか一つ以上を実現可能な実現方式によると、さらに一実現方式が提供されるが、前記特定時間範囲内のプロモーション・アカウントの少なくとも二つのプロモーション階級のプロモーション状況データをサンプリングする前に、さらに、
現在時刻、プロモーション状況データ遅延時間及び監視頻度に基づいて、前記現在時刻周りの特定時間範囲を獲得することを含む。
【０００９】
前記実施形態のいずれか一つ以上を実現可能な実現方式によると、さらに一実現方式が提供されるが、前記第一プロモーション階級は、前記第二プロモーション階級より高く、前記少なくとも二つのプロモーション階級のプロモーション状況データに基づいて、第一プロモーション階級のプロモーション状況データと第二プロモーション階級のプロモーション状況データが一致しているか否かを確認するには、
前記第一プロモーション階級のプロモーション状況データの合計が前記第二プロモーション階級のプロモーション状況データの合計と等しい場合には、前記第一プロモーション階級のプロモーション状況データが前記第二プロモーション階級のプロモーション状況データと一致していると確認し、
前記第一プロモーション階級のプロモーション状況データの合計が前記第二プロモーション階級のプロモーション状況データの合計より小さい場合には、前記第一プロモーション階級のプロモーション状況データが前記第二プロモーション階級のプロモーション状況データと一致していないと確認し、
前記第一プロモーション階級のプロモーション状況データの合計が前記第二プロモーション階級のプロモーション状況データの合計より大きい場合には、前記第二プロモーション階級のプロモーション状況データが網羅的であるか否かによって、前記第一プロモーション階級のプロモーション状況データが前記第二プロモーション階級のプロモーション状況データと一致しているか否かを確認することを含む。
【００１０】
前記実施形態のいずれか一つ以上を実現可能な実現方式によると、さらに一実現方式が提供されるが、前記第二プロモーション階級のプロモーション状況データが網羅的であるか否かによって、前記第一プロモーション階級のプロモーション状況データが前記第二プロモーション階級のプロモーション状況データと一致しているか否かを確定するには、
前記第二プロモーション階級のプロモーション状況データが網羅的でない場合には、前記第一プロモーション階級のプロモーション状況データが前記第二プロモーション階級のプロモーション状況データと一致していると確認し、
前記第二プロモーション階級のプロモーション状況データが網羅的である場合には、前記第一プロモーション階級のプロモーション状況データが前記第二プロモーション階級のプロモーション状況データと一致していないと確定することを含む。
【００１１】
前記実施形態のいずれか一つ以上を実現可能な実現方式によると、さらに一実現方式が提供されるが、前記第一プロモーション階級は、前記第二プロモーション階級より高く、前記少なくとも二つのプロモーション階級のプロモーション状況データに基づいて、第一プロモーション階級のプロモーション状況データと第二プロモーション階級のプロモーション状況データが一致しているか否かを確認するには、
前記第一プロモーション階級における第一プロモーションノードのプロモーション状況データが前記第二プロモーション階級で前記第一プロモーションノードに対応する少なくとも一つの第二プロモーションノードのプロモーション状況データの合計と等しい場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さい場合には、前記第一プロモーションノードのプロモーション状況データが網羅的であるか否かによって、前記第一プロモーション階級のプロモーション状況データが前記第二プロモーション階級のプロモーション状況データと一致しているか否かを確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きいと、前記第二プロモーションノードのプロモーション状況データが網羅的であるか否かによって、前記第一プロモーション階級のプロモーション状況データが前記第二プロモーション階級のプロモーション状況データと一致しているか否かを確定することを含む。
【００１２】
前記実施形態のいずれか一つ以上を実現可能な実現方式によると、さらに一実現方式が提供されるが、
前記第一プロモーションノードのプロモーション状況データが網羅的であるか否かによって、前記第一プロモーション階級のプロモーション状況データが前記第二プロモーション階級のプロモーション状況データと一致しているか否かを確認するには、
前記第一プロモーションノードのプロモーション状況データが網羅的でない場合には、前記第一プロモーション階級のプロモーション状況データが前記第二プロモーション階級のプロモーション状況データと一致していると確認し、
前記第一プロモーションノードのプロモーション状況データが網羅的である場合には、前記第一プロモーション階級のプロモーション状況データが前記第二プロモーション階級のプロモーション状況データと一致していないと確認することを含み、又は、
前記第二プロモーションノードのプロモーション状況データが網羅的であるか否かによって、前記第一プロモーション階級のプロモーション状況データが前記第二プロモーション階級のプロモーション状況データと一致しているか否かを確認するには、
前記第二プロモーションノードのプロモーション状況データが網羅的でない場合には、前記第一プロモーション階級のプロモーション状況データが前記第二プロモーション階級のプロモーション状況データと一致していると確認し、
前記第二プロモーションノードのプロモーション状況データが網羅的である場合には、前記第一プロモーション階級のプロモーション状況データが前記第二プロモーション階級のプロモーション状況データと一致していないと確認することを含む。
【００１３】
前記実施形態のいずれか一つ以上を実現可能な実現方式によると、さらに一実現方式が提供されるが、前記特定時間範囲内のプロモーション・アカウントの少なくとも二つのプロモーション階級のプロモーション状況データをサンプリングした後に、さらに、
前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確認し、
前記少なくとも二つのプロモーション階級においてプロモーション階級毎の特定のプロモーション次元でのプロモーション状況データが一致していない場合には、前記プロモーション・アカウントの疑わしい監視結果を獲得することを含む。
【００１４】
前記実施形態のいずれか一つ以上を実現可能な実現方式によると、さらに一実現方式が提供されるが、前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確認するには、
プロモーション階級におけるプロモーションのノードの前記特定のプロモーション次元でのプロモーション状況データの合計が前記プロモーション階級におけるプロモーションノードのプロモーション状況データと等しい場合には、前記プロモーション階級の前記特定のプロモーション次元でのプロモーション状況データが一致していると確認し、
プロモーション階級におけるプロモーションのノードの前記特定のプロモーション次元でのプロモーション状況データの合計が前記プロモーション階級におけるプロモーションノードのプロモーション状況データと等しくない場合には、前記プロモーション階級の前記特定のプロモーション次元でのプロモーション状況データが一致していないと確認することを含む。
【００１５】
本発明の他の一実施形態は、
特定時間範囲内のプロモーション・アカウントの少なくとも二つのプロモーション階級のプロモーション状況データをサンプリングするサンプリング手段と、
前記少なくとも二つのプロモーション階級のプロモーション状況データに基づいて、第一プロモーション階級のプロモーション状況データが第二プロモーション階級のプロモーション状況データと一致しているか否かを確認する確定手段と、
前記第一プロモーション階級のプロモーション状況データと前記第二プロモーション階級のプロモーション状況データが一致していない場合には、前記プロモーション・アカウントの異常監視結果を獲得する獲得手段とを含むプロモーション状況データの監視装置を提供する。
【００１６】
前記実施形態のいずれか一つ以上を実現可能な実現方式によると、さらに一実現方式が提供されるが、前記プロモーション階級は、
アカウント階級、又は、
プロモーション計画階級、又は、
プロモーション手段階級、又は、
キーワード／オリジナリテイ階級を含む。
【００１７】
前記の方面といずれの可能な実現方式によると、さらに一実現方式が提供されるが、前記プロモーション状況データは、
表示指標、又は、
クリック指標、又は、
消費指標、又は、
転化指標、又は、
品質度指標を含む。
【００１８】
前記実施形態のいずれか一つ以上を実現可能な実現方式によると、さらに一実現方式が提供されるが、前記サンプリング手段は、さらに、
現在時刻、プロモーション状況データ遅延時間及び監視頻度に基づいて、前記現在時刻周りの特定時間範囲を獲得することに用いられる。
【００１９】
前記実施形態のいずれか一つ以上を実現可能な実現方式によると、さらに一実現方式が提供されるが、前記第一プロモーション階級は、前記第二プロモーション階級より高く、前記確定手段は、具体的には、
前記第一プロモーション階級のプロモーション状況データの合計が前記第二プロモーション階級のプロモーション状況データの合計と等しい場合には、前記第一プロモーション階級のプロモーション状況データが前記第二プロモーション階級のプロモーション状況データと一致していると確認し、
前記第一プロモーション階級のプロモーション状況データの合計が前記第二プロモーション階級のプロモーション状況データの合計より小さい場合には、前記第一プロモーション階級のプロモーション状況データが前記第二プロモーション階級のプロモーション状況データと一致していないと確認し、
前記第一プロモーション階級のプロモーション状況データの合計が前記第二プロモーション階級のプロモーション状況データの合計より大きい場合には、前記第二プロモーション階級のプロモーション状況データが網羅的であるか否かによって、前記第一プロモーション階級のプロモーション状況データが前記第二プロモーション階級のプロモーション状況データと一致しているか否かを確認することに用いられる。
【００２０】
前記実施形態のいずれか一つ以上を実現可能な実現方式によると、さらに一実現方式が提供されるが、前記確定手段は、具体的には、
前記第二プロモーション階級のプロモーション状況データが網羅的でない場合には、前記第一プロモーション階級のプロモーション状況データが前記第二プロモーション階級のプロモーション状況データと一致していると確認し、
前記第二プロモーション階級のプロモーション状況データが網羅的である場合には、前記第一プロモーション階級のプロモーション状況データが前記第二プロモーション階級のプロモーション状況データと一致していないと確認することに用いられる。
【００２１】
前記実施形態のいずれか一つ以上を実現可能な実現方式によると、さらに一実現方式が提供されるが、前記第一プロモーション階級は、前記第二プロモーション階級より高く、前記確定手段は、具体的には、
前記第一プロモーション階級における第一プロモーションノードのプロモーション状況データが前記第二プロモーション階級で前記第一プロモーションノードに対応する少なくとも一つの第二プロモーションノードのプロモーション状況データの合計と等しい場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さい場合には、前記第一プロモーションノードのプロモーション状況データが網羅的であるか否かによって、前記第一プロモーション階級のプロモーション状況データが前記第二プロモーション階級のプロモーション状況データと一致しているか否かを確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きい場合には、前記第二プロモーションノードのプロモーション状況データが網羅的であるか否かによって、前記第一プロモーション階級のプロモーション状況データが前記第二プロモーション階級のプロモーション状況データと一致しているか否かを確認することに用いられる。
【００２２】
前記実施形態のいずれか一つ以上を実現可能な実現方式によると、さらに一実現方式が提供されるが、前記確定手段は、具体的に、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さく、且つ前記第一プロモーションノードのプロモーション状況データが網羅的でない場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さく、且つ前記第一プロモーションノードのプロモーション状況データが網羅的である場合には、前記第一プロモーション階級のプロモーション状況データが前記第二プロモーション階級のプロモーション状況データと一致していないと確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きく、且つ前記第二プロモーションノードのプロモーション状況データが網羅的でない場合には、前記第一プロモーション階級のプロモーション状況データが前記第二プロモーション階級のプロモーション状況データと一致していると確認し、
前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きく、且つ前記第二プロモーションノードのプロモーション状況データが網羅的である場合には、前記第一プロモーション階級のプロモーション状況データが前記第二プロモーション階級のプロモーション状況データと一致していないと確認することに用いられる。
【００２３】
前記実施形態のいずれか一つ以上を実現可能な実現方式によると、さらに一実現方式が提供されるが、
前記確定手段は、さらに、
前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確認することに用いられ、
前記獲得手段は、さらに、
前記少なくとも二つのプロモーション階級においてプロモーション階級毎の特定のプロモーション次元でのプロモーション状況データが一致していない場合には、前記プロモーション・アカウントの疑わしい監視結果を獲得することに用いられる。
【００２４】
前記実施形態のいずれか一つ以上を実現可能な実現方式によると、さらに一実現方式が提供されるが、前記確定手段は、具体的には、
プロモーション階級におけるプロモーションのノードの前記特定のプロモーション次元でのプロモーション状況データの合計が前記プロモーション階級におけるプロモーションノードのプロモーション状況データと等しい場合には、前記プロモーション階級の前記特定のプロモーション次元でのプロモーション状況データが一致していると確認し、
プロモーション階級におけるプロモーションのノードの前記特定のプロモーション次元でのプロモーション状況データの合計が前記プロモーション階級におけるプロモーションノードのプロモーション状況データと等しくない場合には、前記プロモーション階級の前記特定のプロモーション次元でのプロモーション状況データが一致していないと確認することに用いられる。
【００２５】
本発明の他の一実施形態は、デバイスを提供し、当該デバイスは、
一つ以上のプロセッサーと、
メモリと、
一つ以上のプログラムと、を含み、前記一つ以上のプログラムは前記メモリに記憶されて、前記一つ以上のプロセッサーによって実行される時に、
特定時間範囲内のプロモーション・アカウントの少なくとも二つのプロモーション階級のプロモーション状況データをサンプリングし、
前記少なくとも二つのプロモーション階級のプロモーション状況データに基づいて、第一プロモーション階級のプロモーション状況データが第二プロモーション階級のプロモーション状況データと一致しているか否かを確認し、
前記第一プロモーション階級のプロモーション状況データと前記第二プロモーション階級のプロモーション状況データが一致していない場合には、前記プロモーション・アカウントの異常監視結果を獲得する。
【００２６】
本発明の他の一実施形態は、非発揮性コンピューター記憶媒体を提供し、前記非発揮性コンピューター記憶媒体には一つ以上のプログラムを記憶し、前記一つ以上のプログラムが一つのデバイスに実行される時に、前記デバイスに、
特定時間範囲内のプロモーション・アカウントの少なくとも二つのプロモーション階級のプロモーション状況データをサンプリングし、
前記少なくとも二つのプロモーション階級のプロモーション状況データに基づいて、第一プロモーション階級のプロモーション状況データが第二プロモーション階級のプロモーション状況データと一致しているか否かを確認し、
前記第一プロモーション階級のプロモーション状況データと前記第二プロモーション階級のプロモーション状況データが一致していない場合には、前記プロモーション・アカウントの異常監視結果を獲得させる。
【００２７】
上記の技術案によると、本発明の実施例は、特定時間範囲内のプロモーション・アカウントの少なくとも二つのプロモーション階級のプロモーション状況データをサンプリングし、さらに、前記少なくとも二つのプロモーション階級のプロモーション状況データに基づいて、第一プロモーション階級のプロモーション状況データと第二プロモーション階級のプロモーション状況データが一致しているか否かを確定し、前記第一プロモーション階級のプロモーション状況データと前記第二プロモーション階級のプロモーション状況データが一致していない場合には、前記プロモーション・アカウントの異常監視結果を獲得することによって、プロモーション・アカウントの複数のプロモーション階級における第一プロモーション階級のプロモーション状況データが第二プロモーション階級のプロモーション状況データと一致していないことを監視し、当該プロモーション・アカウントの異常監視結果を獲得するので、係員は速やかに実時間的な異常監視結果に基づいて、相応するメンテナンス操作を行うことができ、プロモーション状況データに基づいて実行するプロモーション効果評価の信頼性を向上させる。
【００２８】
また、本発明で提供する技術案によると、現在時刻、プロモーション状況データ遅延時間及び監視頻度に基づいて、当該現在時刻周りの特定時間範囲を獲得し、それによって、各プロモーション階級のプロモーション状況データの実時間的なサンプリングと監視を実現することができ、プロモーション状況データ監視の実時間性を有効に向上させる。
【００２９】
また、本発明で提供する技術案によると、実時間的にプロモーション状況データの問題を監視でき、プロモーション効果の評価の信頼性を有効に保証でき、プロモーション者の満足度を向上させる。
【００３０】
本発明の実施例における技術案をより明瞭に説明するために、以下では、実施例又は従来技術の記載で用いられる図面を簡単に紹介し、以下に記載した図面はただ本発明の一部の実施例で、本分野の当業者であれば、創造的な労働をすることなしに、これらの図面によって他の図面を得られるのは容易なことである。
【図面の簡単な説明】
【００３１】
【図１】本発明の実施例で提供するプロモーション状況データの監視方法のフロチャートである。
【図２】本発明の他の実施例で提供するプロモーション状況データの監視装置の構成概略図である。
【発明を実施するための形態】
【００３２】
本発明の実施例の目的、技術案及び利点をより明確にするために、以下では本発明の実施例における図面を利用して本発明の技術案を明確、完全に記述する。前記実施例はただ本発明の一部の実施例で、全部の実施例ではないことを明確にする。本発明における実施例に基づいて、本分野の当業者が創作的な労働をしない前提で得られる全部の他の実施例は、いずれも本発明の保護範囲に属する。
【００３３】
また、本文で使用する用語「と／または」は、ただ関連対象の関連関係を表示するもので、三つの関係が可能である。例えば、Ａと／またはＢは、ただＡだけ存在する場合と、ＡとＢが同時に存在する場合と、ただＢだけ存在する場合の三つの可能性がある。また、本文で符号「／」は、一般的に前後関連対象が「または」の関係であることを示す。図１は、本発明の実施例で提供するプロモーション状況データの監視方法のフロチャートであり、図１に示すとおりである。
【００３４】
ステップ１０１では、特定時間範囲内のプロモーション・アカウントの少なくとも二つのプロモーション階級のプロモーション状況データをサンプリングする。
【００３５】
検索プロモーションを例とすると、検索プロモーションのプロモーション・アカウント構造は、アカウント階級、プロモーション計画階級、プロモーション手段階級とキーワード／オリジナリテイ階級の４つのプロモーション階級で構成され、プロモーション手段階級は、マルチ対マルチのキーワードリストとオリジナリテイリストによって構成されてもよい。所謂検索プロモーションは、即ち検索エンジン、例えば、Ｂａｉｄｕ又はＧｏｏｇｌｅ等を利用して、製品又はサービスをプロモーションすることの総称である。
【００３６】
各プロモーション階級の間には、所定のレベル構成関係が存在する。検索プロモーションを例とすると、アカウント階級はレベルが最高なプロモーション階級で、プロモーション計画階級はその下で、そして、順序にプロモーション手段階級とキーワード／オリジナリテイ階級である。一つのプロモーション情報は、異なるプロモーション階級が一緒にプロモーションを完了する必要があるので、プロモーション階級毎のプロモーション状況データは一致し、何れも同じプロモーション効果を反映すべきであり、そうしないと、各プロモーション階級のプロモーション状況データが反映したプロモーション効果は正しくない可能性がある。
【００３７】
ステップ１０２では、前記少なくとも二つのプロモーション階級のプロモーション状況データに基づいて、第一プロモーション階級のプロモーション状況データが第二プロモーション階級のプロモーション状況データと一致しているか否かを確認する。
【００３８】
ステップ１０３では、前記第一プロモーション階級のプロモーション状況データと前記第二プロモーション階級のプロモーション状況データが一致していない場合には、前記プロモーション・アカウントの異常監視結果を獲得する。
【００３９】
このようにして、プロモーション・アカウントの異常監視結果を出力でき、例えば、表示灯方式で出力、メッセージ方式で出力、メール方式で出力することができ、係員は速やかに異常監視結果に基づいて、相応するメンテナンス操作を行って、プロモーション状況データに基づいて実行するプロモーション効果評価の信頼性を向上させる。
【００４０】
ここで、ステップ１０１〜１０３の実行主体の一部又は全部は、ローカル端末にあるアプリであってもよく、またローカル端末にあるアプリに設置されているプラグインまたはソフトウェア開発キット（Ｓｏｆｔｗａｒｅ  Ｄｅｖｅｌｏｐｍｅｎｔ  Ｋｉｔ、ＳＤＫ）等の機能手段であってもよく、またはネットワーク側のサーバーにある処理エンジンであってもよく、またはネットワーク側にある分布式システムであってもよく、本実施例ではこれに対して特別に限定しない。
【００４１】
前記アプリは、端末にインストールしたネイティブアプリ（ｎａｔｉｖｅＡｐｐ）であってもよく、または端末におけるブラウザー上の一つのウェブページアプリ（ｗｅｂＡｐｐ）であってもよく、本実施例ではこれに対して特別に限定しない。
【００４２】
このように、特定時間範囲内のプロモーション・アカウントの少なくとも二つのプロモーション階級のプロモーション状況データをサンプリングし、さらに、前記少なくとも二つのプロモーション階級のプロモーション状況データに基づいて、第一プロモーション階級のプロモーション状況データと第二プロモーション階級のプロモーション状況データが一致しているか否かを確認し、前記第一プロモーション階級のプロモーション状況データと前記第二プロモーション階級のプロモーション状況データが一致していない場合には、前記プロモーション・アカウントの異常監視結果を獲得することによって、プロモーション・アカウントの複数のプロモーション階級における第一プロモーション階級のプロモーション状況データが第二プロモーション階級のプロモーション状況データと一致していないことを監視し、当該プロモーション・アカウントの異常監視結果を獲得するので、係員は速やかに実時間的な異常監視結果に基づいて、相応するメンテナンス操作を行うことができ、プロモーション状況データに基づいて実行するプロモーション効果評価の信頼性を向上させる。
【００４３】
所謂プロモーション状況データは、プロモーション効果を評価できる重要な指標であり、
表示指標、又は、
クリック指標、又は、
消費指標、又は、
転化指標、又は、
品質度指標を含むがこれらに限定されていない。
【００４４】
表示指標は、プロモーション情報の表示量であってもよい。
クリック指標は、指プロモーション情報のクリックされた数量であってもよい。
消費指標は、プロモーション情報のプロモーション支出であってもよい。
転化指標は、クリックプロモーション情報を利用して、プロモーションウェブサイトに登録したネチズンが転化された比例であってもよい。
品質度指標は、ネチズン対プロモーション情報のキーワード及びキーワードオリジナリテイの認可程度であってもよい。
【００４５】
好ましいのは、本実施例の一つの可能な実現形態で、ステップ１０１で実行したサンプリング操作が根拠とする特定時間範囲は、一つの歴史時間範囲であってもよく、又は、一つの実時間的な時間範囲であってもよく、本実施例は、これに対して特に限定しない。
【００４６】
サンプリンしたプロモーション状況データは、ソースデータに基づいて演算または照会して獲得したものであり、これらのソースデータは多い処理ステップ、例えば、ログ出力、ログ分割、マルチ階級マルチ伝送、ログ配布、ログ統計、無効クリック濾過、返金、保管、業務階級濾過表示等の処理ステップを経る必要があるので、現在時刻においてサンプリングしたプロモーション状況データが実際上は所定の遅延時間を有することになり、有効なプロモーション状況データをサンプリングさせることを保証するために、ステップ１０１の実行の前に、さらに前記実時間範囲を設置する必要がある。
【００４７】
一つの具体的な実現過程において、具体的には、現在時刻、プロモーション状況データ遅延時間及び監視頻度に基づいて、前記現在時刻周りの特定時間範囲を獲得してもよい。ここで、前記プロモーション状況データ遅延時間は、現在時刻においてサンプリングできるプロモーション状況データに対応するソースデータの発生時間と現在時刻との差値である。
【００４８】
例えば、現在時刻からプロモーション状況データ遅延時間を減算し、また監視周期を減算して得た第一時間即ち第一時間＝現在時刻−プロモーション状況データ遅延時間−監視周期を、サンプリングしたプロモーション状況データに対応するソースデータの開始時間とし、ここで、前記監視周期は監視頻度によって獲得してもよく、現在時刻からプロモーション状況データ遅延時間を減算して得た第二時間即ち第二時間＝現在時刻−プロモーション状況データ遅延時間を、サンプリングしたプロモーション状況データに対応するソースデータのカットオフ時間としてもよい。
【００４９】
このように、現在時刻、プロモーション状況データ遅延時間及び監視頻度に基づいて、当該現在時刻周りの特定時間範囲を獲得することによって、各プロモーション階級のプロモーション状況データの実時間的なサンプリングと監視を実現でき、プロモーション状況データ監視の実時間性を有効に向上することができる。
【００５０】
好ましいのは、本実施例の一つの可能な実現形態で、前記第一プロモーション階級が前記第二プロモーション階級より高いとすると、１０２で、具体的に、前記第一プロモーション階級のプロモーション状況データの合計が前記第二プロモーション階級のプロモーション状況データの合計と等しいか否かに基づいて、前記第一プロモーション階級のプロモーション状況データが前記第二プロモーション階級のプロモーション状況データと一致しているか否かを確認してもよい。
【００５１】
プロモーション階級毎が複数のプロモーションノードを含む可能性があるので、所謂プロモーション階級のプロモーション状況データの合計は、当該プロモーション階級における各プロモーションノードのプロモーション状況データの合計である。検索プロモーションを例とすると、アカウント階級は、一つのプロモーションノードを含んでいてもよく、当該プロモーションノードは一つのプロモーション・アカウントに対応し、プロモーション計画階級は、一つ以上のプロモーションノードを含んでいてもよく、プロモーションノード毎は一つのプロモーション計画に対応してもよく、プロモーション手段階級は、一つ以上のプロモーションノードを含み、プロモーションノード毎は一つのプロモーション手段に対応してもよい。キーワード／オリジナリテイ階級は、一つ以上のプロモーションノードを含んでいてもよく、プロモーションノード毎は一組のキーワードとオリジナリテイに対応してもよい。プロモーション階級の間のレベル構成関係によって、どのプロモーション階級であっても、そのプロモーション状況データは何れも一致するものであるべきで、そうしないと、各プロモーション階級のプロモーション状況データが反映したプロモーション効果は正しくない可能性がある。
【００５２】
本発明で提供する技術案は、監視過程でサンプリングした各プロモーション階級の同じ種類のプロモーション状況データの状況に適合している。複数のプロモーション状況データの状況を考慮する必要があると、各種類のプロモーション状況データの状況に対して、それぞれにステップ１０１〜１０３の操作を実行してもよい。
【００５３】
一つの具体的な実現過程では、前記第一プロモーション階級のプロモーション状況データの合計が前記第二プロモーション階級のプロモーション状況データの合計と等しい場合には、例えば、一つのプロモーション・アカウントにおいて、アカウント階級のクリック指標がプロモーション計画階級におけるプロモーション計画毎のクリック指標の合計と等しい場合には、前記第一プロモーション階級のプロモーション状況データが前記第二プロモーション階級のプロモーション状況データと一致していることを確認できる。
【００５４】
他の一つの具体的な実現過程において、前記第一プロモーション階級のプロモーション状況データの合計が前記第二プロモーション階級のプロモーション状況データの合計より小さい場合には、例えば、一つのプロモーション・アカウントにおいて、アカウント階級のクリック指標がプロモーション計画階級におけるプロモーション計画毎のクリック指標の合計より小さい場合には、前記第一プロモーション階級のプロモーション状況データが前記第二プロモーション階級のプロモーション状況データと一致していないと確認する。
【００５５】
実際の照会過程において、照会する人には簡単な照会の要求があり、あるプロモーション階級は一部のみのプロモーションノードを含んでいればよく、全部のプロモーションノードを含まない。例えば、一つのプロモーション・アカウントは、プロモーション計画階級で実際に二つのプロモーション計画を有するが、今度の照会する目的のためには、ただその中の一つのみのプロモーション計画のプロモーション状況データに着目すればよいので、プロモーション計画階級で獲得した照会データには、その中で一つだけのプロモーション計画のプロモーション状況データを含んでいる。そのため、当該プロモーション階級のプロモーション状況データは網羅的ではなく、当該プロモーション階級のプロモーション状況データの合計は他のプロモーション階級のプロモーション状況データの合計と等しくなく、他のプロモーション階級のプロモーション状況データの合計より小さい。即ち、当該プロモーション階級のプロモーション状況データの合計が他のプロモーション階級のプロモーション状況データの合計より小さい場合には、当該プロモーション階級のプロモーション状況データがプロモーション階級のプロモーション状況データと一致していると確認できる。
【００５６】
他の一つの具体的な実現過程において、前記第一プロモーション階級のプロモーション状況データの合計が前記第二プロモーション階級のプロモーション状況データの合計より大きいと、例えば、一つのプロモーション・アカウントにおいて、アカウント階級のクリック指標はプロモーション計画階級におけるプロモーション計画毎のクリック指標の合計より大きいと、前記第二プロモーション階級のプロモーション状況データが網羅的であるか否かによって、前記第一プロモーション階級のプロモーション状況データが前記第二プロモーション階級のプロモーション状況データと一致しているか否かを確認する。
【００５７】
例えば、前記第二プロモーション階級のプロモーション状況データが網羅的でないと、前記第一プロモーション階級のプロモーション状況データが前記第二プロモーション階級のプロモーション状況データと一致していると確認できる。
【００５８】
又は、例えば、前記第二プロモーション階級のプロモーション状況データが網羅的である場合には、前記第一プロモーション階級のプロモーション状況データが前記第二プロモーション階級のプロモーション状況データと一致していないと確認することができる。
【００５９】
好ましくは、本実施例の一つの可能な実現形態において、前記第一プロモーション階級が前記第二プロモーション階級より高いとすると、ステップ１０２では、具体的には、前記第一プロモーション階級における第一プロモーションノードのプロモーション状況データの合計が前記第二プロモーション階級で前記第一プロモーションノードに対応する少なくとも一つの第二プロモーションノードのプロモーション状況データの合計と等しいか否かに基づいて、前記第一プロモーション階級のプロモーション状況データが前記第二プロモーション階級のプロモーション状況データと一致しているか否かを確認する。
【００６０】
一つの具体的な実現過程において、前記第一プロモーション階級における第一プロモーションノードのプロモーション状況データが前記第二プロモーション階級で前記第一プロモーションノードに対応する少なくとも一つの第二プロモーションノードのプロモーション状況データの合計と等しい場合には、例えば、一つのプロモーション・アカウントにおいて、プロモーション計画階級であるプロモーション計画的クリック指標がプロモーション手段階級で当該プロモーション計画に対応するプロモーション手段のクリック指標の合計と等しい場合には、前記第一プロモーション階級のプロモーション状況データが前記第二プロモーション階級のプロモーション状況データと一致していると確認できる。
【００６１】
実際の照会過程において、照会する人には簡単な照会の要求があり、あるプロモーション階級のあるプロモーションのノードがある次元で一部のプロモーション状況データのみを含んでいればよく、全部のプロモーション状況データを含んでいないので、当該プロモーションノードのプロモーション状況データは網羅的ではなく、他のプロモーション階級で当該プロモーションのノードに対応するプロモーションノードのプロモーション状況データの合計は、当該プロモーションノードのプロモーション状況データとプロモーション階級で当該プロモーションノードに対応する他のプロモーションノードのプロモーション状況データの合計と等しくなく、当該プロモーションノードのプロモーション状況データと所在プロモーション階級で当該プロモーションノードに対応する他のプロモーションノードのプロモーション状況データの合計より大きい。即ち、当該プロモーションノードのプロモーション状況データと所在プロモーション階級で当該プロモーションノードに対応する他のプロモーションノードのプロモーション状況データの合計が、他のプロモーション階級で当該プロモーションのノードに対応するプロモーションノードのプロモーション状況データの合計より小さい場合には、当該プロモーション階級のプロモーション状況データが他のプロモーション階級のプロモーション状況データと一致していると確認できる。
【００６２】
他の一つの具体的な実現過程において、前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さいと、例えば、一つのプロモーション・アカウントにおいて、プロモーション計画階級であるプロモーション計画的クリック指標がプロモーション手段階級で当該プロモーション計画に対応するプロモーション手段のクリック指標の合計より小さいと、前記第一プロモーションノードのプロモーション状況データが網羅的であるか否かによって、前記第一プロモーション階級のプロモーション状況データが前記第二プロモーション階級のプロモーション状況データと一致しているか否かを確認できる。
【００６３】
例えば、前記第一プロモーションノードのプロモーション状況データが網羅的でない場合には、前記第一プロモーション階級のプロモーション状況データが前記第二プロモーション階級のプロモーション状況データと一致していると確認できる。
【００６４】
又は、例えば、前記第一プロモーションノードのプロモーション状況データが網羅的である場合には、前記第一プロモーション階級のプロモーション状況データが前記第二プロモーション階級のプロモーション状況データと一致していないと確認できる。
【００６５】
他の一つの具体的な実現過程において、前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きい場合には、例えば、一つのプロモーション・アカウントにおいて、プロモーション計画階級であるプロモーション計画のクリック指標がプロモーション手段階級で当該プロモーション計画に対応するプロモーション手段のクリック指標の合計より大きい場合には、前記第二プロモーションノードのプロモーション状況データが網羅的であるか否かによって、前記第一プロモーション階級のプロモーション状況データが前記第二プロモーション階級のプロモーション状況データと一致しているか否かを確認する。
【００６６】
例えば、前記第二プロモーションノードのプロモーション状況データが網羅的でない場合には、前記第一プロモーション階級のプロモーション状況データが前記第二プロモーション階級のプロモーション状況データと一致していると確認できる。
【００６７】
又は、例えば、前記第二プロモーションノードのプロモーション状況データが網羅的である場合には、前記第一プロモーション階級のプロモーション状況データが前記第二プロモーション階級のプロモーション状況データと一致していないと確認できる。
【００６８】
一般的に、プロモーション階級の内部で、さらに異なるプロモーション次元、例えば、ＰＣ、携帯電話等のプロモーションデバイス次元、又は、例えば、北京、上海等のプロモーション地域次元、等を定義でき、プロモーション階級毎のこれらのプロモーション次元でのプロモーション状況データは一致しているべきである。
【００６９】
好ましくは、本実施例の一つの可能な実現形態で、ステップ１０１の実行後に、さらに前記少なくとも二つのプロモーション階級のプロモーション状況データに基づいて、前記少なくとも二つのプロモーション階級においてプロモーション階級毎の特定のプロモーション次元でのプロモーション状況データが一致しているか否かを確定できる。前記少なくとも二つのプロモーション階級においてプロモーション階級毎の特定のプロモーション次元でのプロモーション状況データが一致していない場合には、前記プロモーション・アカウントの疑わしい監視結果を獲得できる。そうすると、プロモーション・アカウントの異常監視結果を出力でき、例えば、表示灯方式で出力、メッセージ方式で出力、メール方式で出力することができ、係員は速やかに異常監視結果に基づいて、相応するメンテナンス操作を行って、プロモーション状況データに基づいて実行するプロモーション効果評価の信頼性を向上させる。
【００７０】
一つの具体的な実現過程では、プロモーション階級におけるプロモーションのノードの前記特定のプロモーション次元でのプロモーション状況データの合計が前記プロモーション階級におけるプロモーションノードのプロモーション状況データと等しい場合には、前記プロモーション階級の前記特定のプロモーション次元でのプロモーション状況データが一致していると確認できる。
【００７１】
他の一つの具体的な実現過程では、プロモーション階級におけるプロモーションのノードの前記特定のプロモーション次元でのプロモーション状況データの合計が前記プロモーション階級におけるプロモーションノードのプロモーション状況データと等しくない場合には、前記プロモーション階級の前記特定のプロモーション次元でのプロモーション状況データが一致していないと確認できる。
【００７２】
本実施例では、特定時間範囲内のプロモーション・アカウントの少なくとも二つのプロモーション階級のプロモーション状況データをサンプリングし、さらに前記少なくとも二つのプロモーション階級のプロモーション状況データに基づいて、第一プロモーション階級のプロモーション状況データと第二プロモーション階級のプロモーション状況データが一致しているか否かを確認し、前記第一プロモーション階級のプロモーション状況データと前記第二プロモーション階級のプロモーション状況データが一致していない場合には、前記プロモーション・アカウントの異常監視結果を獲得し、プロモーション・アカウントの複数のプロモーション階級における第一プロモーション階級のプロモーション状況データが第二プロモーション階級のプロモーション状況データと一致していないことを監視し、当該プロモーション・アカウントの異常監視結果を獲得できるので、係員は速やかに実時間的な異常監視結果に基づいて、相応するメンテナンス操作を行って、プロモーション状況データに基づいて実行するプロモーション効果評価の信頼性を向上させる。
【００７３】
なお、本発明で提供する技術案によると、現在時刻、プロモーション状況データ遅延時間及び監視頻度に基づいて、当該現在時刻まわりの特定時間範囲を獲得することによって、各プロモーション階級のプロモーション状況データの実時間的なサンプリングと監視を実現でき、プロモーション状況データ監視の実時間性を有効に向上することができる。
【００７４】
なお、本発明で提供する技術案によると、実時間的にプロモーション状況データの問題を監視でき、プロモーション効果の評価の信頼性を有効に保証でき、プロモーション者の満足度を向上させる。
【００７５】
ここで、前記の各方法実施例について、簡単に記述するために、一連の動作の組合せとして記述したが、本分野の当業者であれば、本発明においては、記述した動作の順序の制限を受けることはなく、本発明によると、あるステップは他の順序に従いまたは同時に行ってもよいことは了解されるべきである。また、本分野の当業者であれば、明細書に記載の実施例はいずれも好ましい実施例で、関連する動作及びモジュールは本発明に必ず必要なものではない。上述した実施例では、各実施例に対する記述にはいずれも重点があり、ある実施例で詳細に記述しなかった部分は、他の実施例における関連記述を参照できる。
【００７６】
図２は、本発明の他の実施例で提供するプロモーション状況データの監視装置の構成概略図である、図２に示すとおりである。本実施例のプロモーション状況データの監視装置は、サンプリング手段２１と、確定手段２２と、獲得手段２３とを含んでいてもよい。ここで、サンプリング手段２１は、特定時間範囲内のプロモーション・アカウントの少なくとも二つのプロモーション階級のプロモーション状況データをサンプリングするのに用いられ、確定手段２２は、前記少なくとも二つのプロモーション階級のプロモーション状況データに基づいて、第一プロモーション階級のプロモーション状況データが第二プロモーション階級のプロモーション状況データと一致しているか否かを確認するのに用いられ、獲得手段２３は、前記第一プロモーション階級のプロモーション状況データと前記第二プロモーション階級のプロモーション状況データが一致していない場合には、前記プロモーション・アカウントの異常監視結果を獲得するのに用いられる。
【００７７】
検索プロモーションを例とすると、検索プロモーションのプロモーション・アカウント構造は、アカウント階級、プロモーション計画階級、プロモーション手段階級、キーワード／オリジナリテイ階級の４つのプロモーション階級によって構成されてもよく、プロモーション手段階級は、マルチ対マルチのキーワードリストとオリジナリテイリストによって構成されてもよい。所謂検索プロモーション即ち利用検索エンジンは、例えば、百度又はＧｏｏｇｌｅ等の、製品又はサービスをプロモーションすることの総称である。
【００７８】
ここで、本実施例で提供するプロモーション状況データの監視装置の一部又は全部は、ローカル端末にあるアプリであってもよく、またローカル端末にあるアプリに設置されているプラグインまたはソフトウェア開発キット（Ｓｏｆｔｗａｒｅ  Ｄｅｖｅｌｏｐｍｅｎｔ  Ｋｉｔ、ＳＤＫ）等の機能手段であってもよく、またはネットワーク側のサーバーにある処理エンジンであってもよく、またはネットワーク側にある分布式システムであってもよく、本実施例ではこれに対して特別に限定しない。
【００７９】
前記アプリは、端末にインストールしたネイティブアプリ（ｎａｔｉｖｅＡｐｐ）であってもよく、または端末におけるブラウザー上の一つのウェブページアプリ（ｗｅｂＡｐｐ）であってもよく、本実施例ではこれに対して特別に限定しない。
【００８０】
所謂プロモーション状況データは、プロモーション効果を評価できる重要な指標であり、
表示指標、又は、
クリック指標、又は、
消費指標、又は、
転化指標、又は、
品質度指標を含むがこれらに限定されていない。
【００８１】
好ましいのは、本実施例の一つの可能な実現形態で、前記サンプリング手段２１は、さらに、現在時刻、プロモーション状況データ遅延時間及び監視頻度に基づいて、前記現在時刻周りの特定時間範囲を獲得するのに用いられる。このように、現在時刻、プロモーション状況データ遅延時間及び監視頻度に基づいて、当該現在時刻周りの特定時間範囲を獲得することによって、各プロモーション階級のプロモーション状況データの実時間的なサンプリングと監視を実現でき、プロモーション状況データ監視の実時間性を有効に向上することができる。
【００８２】
好ましいのは、本実施例の一つの可能な実現形態で、前記第一プロモーション階級が前記第二プロモーション階級より高いとすると、前記確定手段２２は、具体的に、前記第一プロモーション階級のプロモーション状況データの合計が前記第二プロモーション階級のプロモーション状況データの合計と等しい場合には、前記第一プロモーション階級のプロモーション状況データが前記第二プロモーション階級のプロモーション状況データに一致していると確認するのに用いられる。前記第一プロモーション階級のプロモーション状況データの合計が前記第二プロモーション階級のプロモーション状況データの合計より小さい場合には、前記第一プロモーション階級のプロモーション状況データが前記第二プロモーション階級のプロモーション状況データと一致していないと確認する。前記第一プロモーション階級のプロモーション状況データの合計が前記第二プロモーション階級のプロモーション状況データの合計より大きい場合には、前記第二プロモーション階級のプロモーション状況データが網羅的であるか否かによって、前記第一プロモーション階級のプロモーション状況データが前記第二プロモーション階級のプロモーション状況データと一致しているか否かを確認する。
【００８３】
一つの具体的な実現過程では、前記確定手段２２は、具体的には、前記第二プロモーション階級のプロモーション状況データが網羅的でない場合には、前記第一プロモーション階級のプロモーション状況データが前記第二プロモーション階級のプロモーション状況データと一致していると確認し、前記第二プロモーション階級のプロモーション状況データが網羅的である場合には、前記第一プロモーション階級のプロモーション状況データが前記第二プロモーション階級のプロモーション状況データと一致していないと確認できる。
【００８４】
好ましくは、本実施例の一つの可能な実現形態で、前記第一プロモーション階級が前記第二プロモーション階級より高いとすると、前記確定手段２２は、具体的に、前記第一プロモーション階級における第一プロモーションノードのプロモーション状況データが前記第二プロモーション階級で前記第一プロモーションノードに対応する少なくとも一つの第二プロモーションノードのプロモーション状況データの合計と等しい場合には、前記第一プロモーション階級のプロモーション状況データが前記第二プロモーション階級のプロモーション状況データに一致していると確認するのに用いられる。前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さい場合には、前記第一プロモーションノードのプロモーション状況データが網羅的であるか否かによって、前記第一プロモーション階級のプロモーション状況データが前記第二プロモーション階級のプロモーション状況データと一致しているか否かを確認する。前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きい場合には、前記第二プロモーションノードのプロモーション状況データが網羅的であるか否かによって、前記第一プロモーション階級のプロモーション状況データが前記第二プロモーション階級のプロモーション状況データと一致しているか否かを確認する。
【００８５】
一つの具体的な実現過程では、前記確定手段２２は、具体的に、前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さく、且つ前記第一プロモーションノードのプロモーション状況データが網羅的でない場合には、前記第一プロモーション階級のプロモーション状況データが前記第二プロモーション階級のプロモーション状況データと一致していると確認し、前記第一プロモーション階級における第一プロモーションノードのプロモーション状況データが前記第二プロモーション階級で前記第一プロモーションノードに対応する少なくとも一つの第二プロモーションノードのプロモーション状況データの合計より小さく、且つ前記第一プロモーションノードのプロモーション状況データが網羅的である場合には、前記第一プロモーション階級のプロモーション状況データが前記第二プロモーション階級のプロモーション状況データと一致していないと確認し、前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きく、且つ前記第二プロモーションノードのプロモーション状況データが網羅的でない場合には、前記第一プロモーション階級のプロモーション状況データが前記第二プロモーション階級のプロモーション状況データと一致していると確認し、前記第一プロモーション階級における第一プロモーションノードのプロモーション状況データが前記第二プロモーション階級で前記第一プロモーションノードに対応する少なくとも一つの第二プロモーションノードのプロモーション状況データの合計より大きく、且つ前記第二プロモーションノードのプロモーション状況データが網羅的である場合には、前記第一プロモーション階級のプロモーション状況データが前記第二プロモーション階級のプロモーション状況データと一致していないと確認するのに用いられる。
【００８６】
好ましくは、本実施例の一つの可能な実現形態で、前記確定手段２２は、さらに、前記少なくとも二つのプロモーション階級のプロモーション状況データに基づいて、前記少なくとも二つのプロモーション階級におけるプロモーション階級毎の特定のプロモーション次元でのプロモーション状況データが一致しているか否かを確認するのに用いられ、相応的に、前記獲得手段２３は、さらに、前記少なくとも二つのプロモーション階級においてプロモーション階級毎の特定のプロモーション次元でのプロモーション状況データが一致していない場合には、前記プロモーション・アカウントの疑わしい監視結果を獲得するのに用いられる。
【００８７】
一つの具体的な実現過程では、前記確定手段２２は、具体的にプロモーション階級におけるプロモーションのノードの前記特定のプロモーション次元でのプロモーション状況データの合計が前記プロモーション階級におけるプロモーションノードのプロモーション状況データと等しい場合には、前記プロモーション階級の前記特定のプロモーション次元でのプロモーション状況データが一致していると確認し、プロモーション階級におけるプロモーションのノードの前記特定のプロモーション次元でのプロモーション状況データの合計が前記プロモーション階級におけるプロモーションノードのプロモーション状況データと等しくない場合には、前記プロモーション階級の前記特定のプロモーション次元でのプロモーション状況データが一致していないと確認するのに用いられる。
【００８８】
ここで、図１に対応する実施例の方法は、本実施例で提供するプロモーション状況データの監視装置によって実現できる。詳細の記載は、図１に対応する実施例における関連内容を参照でき、ここでは重複して述べない。
【００８９】
本実施例で、サンプリング手段によって特定時間範囲内のプロモーション・アカウントの少なくとも二つのプロモーション階級のプロモーション状況データをサンプリングし、さらに、確定手段によって前記少なくとも二つのプロモーション階級のプロモーション状況データに基づいて、第一プロモーション階級のプロモーション状況データと第二プロモーション階級のプロモーション状況データが一致しているか否かを確認し、獲得手段によって前記第一プロモーション階級のプロモーション状況データと前記第二プロモーション階級のプロモーション状況データが一致していない場合には、前記プロモーション・アカウントの異常監視結果を獲得し、プロモーション・アカウントの複数のプロモーション階級における第一プロモーション階級のプロモーション状況データが第二プロモーション階級のプロモーション状況データと一致していないことを監視し、当該プロモーション・アカウントの異常監視結果を獲得するので、係員は速やかに実時間的な異常監視結果に基づいて、相応するメンテナンス操作を行うことができるので、プロモーション状況データに基づいて実行するプロモーション効果評価の信頼性を向上させる。
【００９０】
なお、本発明で提供する技術案によると、現在時刻、プロモーション状況データ遅延時間及び監視頻度に基づいて、当該現在時刻周りの特定時間範囲を獲得することによって、各プロモーション階級のプロモーション状況データの実時間的なサンプリングと監視を実現でき、プロモーション状況データ監視の実時間性を有効に向上させることができる。
【００９１】
また、本発明で提供する技術案によると、実時間的にプロモーション状況データの問題を監視でき、プロモーション効果の評価の信頼性を有効に保証でき、プロモーション者の満足度を向上させる。
【００９２】
所属分野の当業者であれば、記述の便利と簡潔のために、上述記載のシステム、装置と手段の具体的な動作過程は、前述方法の実施例における対応する過程を参照できることを理解すべきで、ここで重複に記述しない。
【００９３】
本発明で提供する幾つの実施例で開示したシステム、装置及び方法は、他の方式によって実現できるのは理解すべきである。例えば、以上に記載した装置の実施例はただ例示的なもので、例えば、前記手段の分割はただロジック機能の分割で、実際に実現する時は他の分割方式によってもよい。例えば、複数の手段又はモジュールは結合でき又は他の一つのシステムに集積でき、またはある特徴は無視し、または実行しなくてもよい。また、示しまたは検討した互いの間の結合または直接に結合又は通信接続は、あるインタフェース、装置または手段の間接的な接合又は通信接続によるものであってもよく、電気的、機械または他の形式であってもよい。
【００９４】
前記で分離部材として説明した手段は、物理上で分離したものであってもよく物理上で分離しなかったものであってもよく、即ちち、同一の位置にあってもよく、複数のネットワークユニットに分布されていてもよい。実際の必要によってそれらの中の一部または全部の手段を選択して本実施例の方案の目的を実現してもよい。
【００９５】
また、本発明の各実施例における各機能手段は一つの処理モジュールに集積してもよく、各手段が物理上で単独に存在してもよく、二つ又は二つ以上の手段を一つの手段に集積してもよい。前記集積した手段は、ハードウェアの形式に実現してもよく、ハードウェアにソフトウェアの機能手段を結合する形式で実現してもよい。
【００９６】
上記のソフト機能手段の形式で実現した集積した手段は、一つのコンピューターが可読な記憶媒体に記憶してもよい。前記ソフト機能手段は一つの記憶媒体に記憶してもよく、複数の命令を含んで一つのコンピューターデバイス（パーソナルコンピューター、サーバー、又はネットワークデバイス等）又は処理モジュール（ｐｒｏｃｅｓｓｏｒ）によって、本発明の各実施例の前記方法の一部のステップを実行させてもよい。前記記憶媒体は、Ｕディスク、ポータブルハードウェア、読み出し専用メノリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等の複数のプログラムコードを記憶できる媒体を含む。
【００９７】
最後に、以上の実施例はただ本発明の技術案を説明するためのもので、それについての限定ではなく、前記実施例を参照して本発明を詳細に説明したが、本分野の当業者は、前記の各実施例に記載の技術案を修正でき、又その一部の技術特徴を等価置換でき、これらの修正又は置換は、その技術案の本質が本発明の各実施例の技術案の主旨及びび範囲を離脱するようにしない。
【図１】
0006324534.tif 000002
【図２】
0006324534.tif 000003